(57)【特許請求の範囲】
【請求項１】
クラッドに内接させて設け且つクラッドより大きな屈折率を与えた円形断面形状のアウターコアと、このアウターコア内に設け且つアウターコアとは異なる屈折率を与えたインナーコアとでコアを形成した光ファイバであって、
前記インナーコアを複数設け、且つ各インナーコアを、互いが重なることのないように分離させて離散的に設けて、これらアウターコアとインナーコアとでマルチモード伝送を行い、そのスキューレイにランダム的な速度変化を起こさせるようにしたことを特徴とする光ファイバ。
【請求項２】
各インナーコアの断面形状を楕円形とした請求項１に記載の光ファイバ。
【請求項３】
各インナーコアの屈折率を異ならせた請求項１又は請求項２に記載の光ファイバ。
【発明の詳細な説明】
【０００１】
【発明の属する技術分野】
本発明は、通信用の光ファイバに関し、特にマルチモード形の光ファイバにおける伝送情報量の改善に関する。
【０００２】
【従来の技術】
通信に用いられる光ファイバには、モードに関してシングルモード形とマルチモード形があり、また屈折率分布の形態に関してステップインデックス形とグラディエントインデックス形があるなど種々のタイプがあり、その各々に特徴がある。中でもマルチモード・ステップインデックス形は、例えば数百μｍ〜１ｍｍ程度のコア径とすることが可能で、光源や受光器との接続やファイバ−ファイバ間の接続などにおける取扱いが容易であり、また同じく大きなコア径が可能なグラディエントインデックス形に比べ低コストであることなどから、比較的短距離の通信や器機内でのデータ伝送手段として多用されている。
【０００３】
しかしマルチモード・ステップインデックス形の光ファイバには、伝搬する光線のモードによる伝搬速度が異なる効果、いわゆるモード分散が大きく、これによって入射光パルスの時間幅が伝搬距離の増大に応じて広がり、パルス形状が崩れ易いという現象がある。このためマルチモード・ステップインデックス形の光ファイバは、シングルモード・ステップインデックス形やグラディエントインデックス形に比べ、同じ伝送距離における伝送帯域が数百分の１程度と狭く、単位時間に伝送可能な情報量が格段に少ない。もっともマルチモード・ステップインデックス形の光ファイバでも、コアとクラッドの屈折率差を小さくすることで伝送帯域を広くさせることが可能である。しかしこのようにすることは、開口数が減少して伝送効率の悪化を招き、実用的でない。
【０００４】
ただ伝送距離が短かければモード分散による伝送帯域の低下は比較的小さいこと、またマルチモード・ステップインデックス形が多用されている近距離通信などの分野で今まで必要とされた伝送帯域があまり大きくなかったなどの理由から、上記のようなモード分散がそれほど問題にされていなかった。ところが最近における情報処理器機はその処理速度がますます高速化する傾向にあり、これに伴って近距離通信でもより広い伝送帯域が求められ、マルチモード・ステップインデックス形における伝送帯域の限界が問題になって来ている。
【０００５】
ところでグラディエントインデックス形の光ファイバは、上記のようにマルチモード・ステップインデックス形の光ファイバに比べ数百倍の伝送帯域を持ち、しかも接続などの取扱いを容易とする大きなコア径が可能である。したがってこのグラディエントインデックス形の光ファイバを用いることで、上記のような高速化に対応することができる。しかし、グラディエントインデックス形は、例えば特開平４−９７３０２号公報や特公表平５−８０８４８８号公報などで知られるように、屈折率分布用の物質を拡散させることで放物線分布の屈折率分布を与えて形成するなどのため、ステップインデックス形に比べてその製造工程などが大幅に複雑になり、コストアップを伴うという問題があること、それにその可能な伝送帯域が現在の一般的な通信システムにあっては過剰性能となることなどから、近距離通信系にグラディエントインデックス形の光ファイバを全面的に用いることは必ずしも適切な対応とはならない。
【０００６】
【発明が解決しようとする課題】
このような事情を背景になされたのが本発明で、従来のマルチモード・ステップインデックス形の光ファイバと同様な製造の容易性や接続などについての取扱いの容易性を持ち、しかも従来のマルチモード・ステップインデックス形における伝送帯域の限界を超えて、情報処理器機の高速化により求められる伝送帯域を可能とする新たな光ファイバの提供を目的としている。
【０００７】
【課題を解決するための手段】
上記目的のために本発明では、光ファイバにおけるコアを、クラッドに内接させて設け且つクラッドより大きな屈折率を与えた円形断面形状のアウターコアと、このアウターコア内に設け且つアウターコアとは異なる屈折率を与えたインナーコアとで形成することを基本とし、これに加えて、インナーコアを複数設け、且つ各インナーコアを離散的に、つまり互いが重なることのないように分離させて設けて、これらアウターコアとインナーコアとでマルチモード伝送を行い、そのスキューレイにランダム的な速度変化を起こさせるようにるようにしている。
【０００８】
このようなコアがアウターコアと離散的にした複数のインナーコアとからなる離散形複合コア構造の光ファイバにあっては、光ファイバ端面への入射条件の異なる光線について以下のようなメカニズムにより伝搬時間の均一化を生じさせることができ、伝送帯域を広くすることができる。これによる伝搬時間の均一化効果は、従来の同一開口数のステップインデックス形の光ファイバに比べ、５倍弱程度に伝送帯域を広げることができる。
【０００９】
光ファイバを伝搬する光線は、実質的に全てスキューレイ、つまり光ファイバの中心軸を含むメリディオナル面から外れる光線であると見なせる。そして離散形複合コア構造の光ファイバにあっては、そのコアが、円形のアウターコアの内部に複数のインナーコアを離散的に設けた構造であるため、スキューレイは、そのほとんどが、アウターコア又はインナーコアの何れかで、屈折率が相対的に高いコアに閉じ込められてそのコアのみを伝搬する光と、アウターコアとインナーコアの両方を交互に通過しながら伝搬する光の何れかであり、これらは何れも、伝搬途中でアウターコアとクラッドとの界面やアウターコアとインナーコアとの界面における入射・反射のパターンを非周期的つまりランダム的に変化させる。この結果、伝搬途中のスキューレイは、屈折率が異なることで伝搬速度の異なる領域の通過距離を１周期（１周期は、アウターコアとクラッドとの界面でのある反射から次の反射までの周期）毎にランダムに変化させることになり、ランダム的に速度変化を生じ、このランダム的な速度変化による平均化作用により、伝搬時間に効果的な均一化を生じる。
【００１０】
この形態の光ファイバの開口数は、コアにおける最も高い屈折率によって決まるため、コアにおける屈折率が低い部分の屈折率を、コアにおける屈折率が高い部分の屈折率とクラッドの屈折率とのほぼ中間の値とすることで、上記２種類の伝搬光成分による伝送帯域は同じ開口数のステップインデックスファイバの伝送帯域より極めて大きなものになる。またこの両成分の平均伝搬速度はインナーコアの形状や屈折率の調整で等しくすることが可能で、そうすることにより両成分が加え合わされた結果の伝送帯域も両成分と同程度の大きさとなる。
【００１１】
本発明による離散形複合コア構造の光ファイバは、以上のようにして広い伝送帯域を可能とするが、同時に製造の容易性も持っている。すなわち本発明による光ファイバは、基本的には従来のステップインデックス形の光ファイバで一般的に用いられているのと同様の製造方法で製造することが可能であり、したがってコアが複合的であるものの、コアの複合化程度を適当な範囲、例えばインナーコアの数を二つとすることで、従来のステップインデックス形の光ファイバにおけるのとそれ程変わらない条件で製造することができる。
【００１２】
上記のような離散形複合コア構造の光ファイバにおける各インナーコアの断面形状は、円形としてもよいが、インナーコアの屈折率がアウターコアの屈折率より高い構成にあっては、より好ましくは非円形とする。すなわちインナーコアの断面形状を非円形とすることにより、インナーコアに閉じ込められて伝搬する光線の中の特に伝搬速度が遅い成分をアウターコアに漏れ出させて無くすことができ、上記ランダム的な速度変化による平均化作用をより効果的に機能させることができる。非円形とするについては多様な形態が可能である。ただアウターコアとインナーコアの界面に不連続な曲折部を含むと伝送損失を増大させることになるので、インナーコアの外面形状は連続曲面のみからなるようにすることが望ましい。また連続曲面は凹凸を含まない方が製造し易いと言える。このような条件を満足させる非円形形状としては楕円形が最も適している。したがって各インナーコアは、その断面形状を楕円形とするのが好ましい。
【００１３】
また上記のような離散形複合コア構造の光ファイバについては、各インナーコアの屈折率を異ならせようにするのがさらに好ましい。このようにすることにより、屈折率の異なる領域を交互に通過する回数が増加し、上記の平均化作用を高めることができ、伝搬時間の均一化をより効果的なものとすることができる。
【００１４】
【実施の形態】
本発明の一実施形態はインナーコアを２つ有する構造に関し、図１に示すように、本実施形態による光ファイバのコア１は、円形断面形状としてクラッドＣに内接させて設けるアウターコア２と、このアウターコア２の内部で互いが重ならないように分離させて設ける第１及び第２の両インナーコア３、４とからなる。両インナーコア３、４は、何れも楕円形の断面形状に形成し、アウターコア２の中心を挟んで互いに対称となるように設ける。また両インナーコア３、４は、両インナーコア３、４それぞれの外周面とアウターコア２の外周面との間隔を製造上で支障のない範囲で十分に狭めて設けるようにする。このようにすることにより、光ファイバを伝搬するスキューレイの伝搬路に対しこれを漏れなくカバーするように両インナーコア３、４を重ならせることができ、上記したスキューレイにおけるランダム的な速度変化による平均化作用をより効果的に得るがことができる。
【００１５】
この実施形態におけるアウターコアとインナーコアのサイズやそれぞれの屈折率についての一数値例を挙げると以下のようになる。第１のインナーコアの屈折率＝1.505 、第２のインナーコアの屈折率＝1.500 、アウターコアの屈折率＝1.495 、クラッドの屈折率＝1.490 、アウターコアの半径＝0.50mm、各インナーコアの短半径＝0.2425mm、各インナーコアの長半径＝0.33mm。この数値条件における伝送帯域改善効果は、従来の同一開口数のステップインデックス形の光ファイバとの比較をモデルにしたがった計算から求めると、５倍弱程度になる。
【００１６】
ここで上記の実施形態では、インナーコアの屈折率をアウターコアの屈折率より大きくしているが、この逆にすることも可能である。このタイプでは上記実施形態のタイプよりも伝送帯域改善効果が若干高いが、伝送損失も高くなる傾向を持つ。
【００１７】
【発明の効果】
以上説明してきた如く、本発明によると、従来のステップインデックス形光ファイバとほぼ同様な条件で製造することが可能で、しかも従来のステップインデックス形光ファイバに比べ大幅に伝送帯域を広くすることのできる光ファイバを提供することができ、光ファイバを用いる通信システムの機能向上に大きく寄与できる。
【図面の簡単な説明】
【図１】第１の実施形態による光ファイバの断面図。
【符号の説明】
１  ……  コア
２  ……  アウターコア
３  ……  第１のインナーコア
４  ……  第２のインナーコア
Ｃ  ……  クラッド
【図１】
0003662670.tif 000002